(57)【要約】【解決すべき課題】薄手の素材であっても、経時的にフィット感が失われることがなく、継続して素手の感覚を得ることができるようになした耐久性に優れたゴルフ用手袋を提供する。【課題を解決するための手段】手袋本体をなす縫製前の主要パーツを、ゴルファーの手のひら部及び小指の手のひら側を覆うことができるようになした掌部片１、中指及び薬指の手のひら側を覆う掌部側指片２、親指片３、甲部片４、マチ片５に分離させる。甲部片４における人指し指の手のひら側下端部に湾曲状切欠部１１を形成する。当該湾曲状切欠部１１の周縁において掌部片１の湾曲状突片１２を非伸縮性縫糸１３を用いて縫着するようにした。【選択図】図１
2005144065.tif 000002
【特許請求の範囲】
【請求項１】
手袋本体をなす縫製前の主要パーツを、ゴルファーの手のひら部及び小指の手
のひら側を覆うことができるようになした掌部片と、中指及び薬指の手のひら側
を覆う掌部側指片と、親指の掌部側及び甲部側を含む全体を覆う親指片と、人指
し指の掌部側及び甲部側を含むと共に、中指、薬指及び小指を含む手の甲部側全
体を覆うことができるようになした甲部片と、前記各指の間に位置させるマチ片
とに分離独立させ、各パーツをそれぞれ定められた縫着ラインに沿って縫着する
ことにより形成されるようになしたことを特徴とするゴルフ用手袋。
【請求項２】
手袋本体をなす縫製前の主要パーツを、ゴルファーの手のひら部及び小指の手
のひら側を覆うことができるようになした掌部片と、中指及び薬指の手のひら側
を覆う掌部側指片と、親指の掌部側及び甲部側を含む全体を覆う親指片と、人指
し指の掌部側及び甲部側を含むと共に、中指、薬指及び小指を含む手の甲部側全
体を覆うことができるようになした甲部片と、前記各指の間に位置させるマチ片
とに分離独立させ、各パーツをそれぞれ定められた縫着ラインに沿って縫着する
ことにより手袋本体が形成されるようになっており、そのうち前記甲部片におけ
る人指し指の手のひら側下端部を湾曲状をなすように大きく切り欠くと共に、当
該湾曲状切欠部の湾曲ラインに対応するようにして掌部片に湾曲状突片を形成し
、甲部片の前記湾曲状切欠部の周縁において掌部片の湾曲状突片を非伸縮性縫糸
を用いて縫着するようにしたことを特徴とするゴルフ用手袋。
【発明の詳細な説明】
【技術分野】
【０００１】
本発明は型崩れし難く継続使用によってもゴルファーの手にフィットするよう
に改良したゴルフ用手袋に関する。
【背景技術】
【０００２】
従来よりゴルフ用手袋は素手の感覚を失うことなく、ゴルファーの手に馴染み
易くするため成るべく薄手の合成皮革や、人工皮革、羊皮のような天然皮革を用
いて製作されるようになってきており、製作にあたっては、後記特許文献１に開
示されているように、手袋の親指部分を除く手のひら側と手のひら側の小指部分
に連続した甲側の小指部分を設け、甲側の薬指部分と手の甲側の小指部分で縫着
して完成品を得るよう親指部分を除いた手袋全体が一つに繋がった手袋裁断物を
用いるようにしたり、あるいは特許文献２に示されているように、人指し指袋部
の甲側側縁と中指袋部の甲側側縁とを縫合して完成品が得られるよう手袋全体が
一つに繋がった裁断物を用いるようにしている。
【０００３】
上記した従来例とは別に、手の甲側を覆う手甲部と、掌側を覆う掌部とを分離
独立させて、それぞれのパーツを所定の縫着ラインに沿って縫着して完成品を得
るようにしたゴルフ用手袋が特許文献３に開示されている。
【特許文献１】特開平７−２０４３０８号公報
【特許文献２】特開平７−３１３６５３号公報
【特許文献３】特開平１１−１８８１３０号公報
【発明の開示】
【発明が解決しようとする課題】
【０００４】
上記した従来例のうち、特許文献１及び特許文献２に示された全体が一つに繋
がった手袋裁断物を用いて完成品を得るようにしたものは、縫合部分が少なくな
るため製作が容易になるという利点を有するものの、素材自体が薄手のものであ
るため経時的に伸びきって型崩れを起こし元のフィット感が次第に失われてくる
という問題点がある。
【０００５】
また、手の甲側を覆う手甲部と、掌側を覆う掌部とを分離独立させて、それぞ
れのパーツを所定の縫着ラインに沿って縫着するようにしたものは、掌部素材と
は別に手甲部において伸縮性をもった素材を使用することができるという利点を
有するが、手のひら側の薬指片及び中指片がいずれも掌部片と一体となっている
ため、継続使用によって掌側素材自体が伸びて前記同様フィット感が失われてく
るという問題点がある。
【０００６】
本発明は、前記した従来のゴルフ用手袋の不具合点を解消し、薄手の素材であ
っても、経時的にフィット感が失われることがなく、継続して素手の感覚を得る
ことができるようになした型崩れし難く耐久性に優れたゴルフ用手袋を提供する
ことを目的とするものである。
【課題を解決するための手段】
【０００７】
上記目的を達成するための本発明の構成を詳述すれば、請求項１に係る発明は
、手袋本体をなす縫製前の主要パーツを、ゴルファーの手のひら部及び小指の手
のひら側を覆うことができるようになした掌部片と、中指及び薬指の手のひら側
を覆う掌部側指片と、親指の掌部側及び甲部側を含む全体を覆う親指片と、人指
し指の掌部側及び甲部側を含むと共に、中指、薬指及び小指を含む手の甲部側全
体を覆うことができるようになした甲部片と、前記各指の間に位置させるマチ片
とに分離独立させ、各パーツをそれぞれ定められた縫着ラインに沿って縫着する
ことにより形成されるようになしたことを特徴とするゴルフ用手袋である。
【０００８】
また、請求項２に係る発明は、手袋本体をなす縫製前の主要パーツを、ゴルフ
ァーの手のひら部及び小指の手のひら側を覆うことができるようになした掌部片
と、中指及び薬指の手のひら側を覆う掌部側指片と、親指の掌部側及び甲部側を
含む全体を覆う親指片と、人指し指の掌部側及び甲部側を含むと共に、中指、薬
指及び小指を含む手の甲部側全体を覆うことができるようになした甲部片と、前
記各指の間に位置させるマチ片とに分離独立させ、各パーツをそれぞれ定められ
た縫着ラインに沿って縫着することにより手袋本体が形成されるようになってお
り、そのうち前記甲部片における人指し指の手のひら側下端部を湾曲状をなすよ
うに大きく切り欠くと共に、当該湾曲状切欠部の湾曲ラインに対応するようにし
て掌部片に湾曲状突片を形成し、甲部片の前記湾曲状切欠部の周縁において掌部
片の湾曲状突片を非伸縮性縫糸を用いて縫着するようにしたことを特徴とするゴ
ルフ用手袋である。
【発明の効果】
【０００９】
本発明ゴルフ用手袋は以上のように、掌部片から中指及び薬指の手のひら側を
覆う掌部側指片を分離独立させ、人差し指片の下端部から薬指片の下端部までの
間が縫合糸によって縫着されるようにしたので、薄手の手袋素材であっても横方
向への素材の伸びが抑止され、全体の型崩れを防止することができる。また、本
発明ゴルフ用手袋は、掌部側指片として中指及び薬指のみを他のパーツから分離
し、且つ掌部片に小指の手のひら側を覆う小指片を連設するようにしたので、縫
着ラインは当該小指片の下端部には及ばず、良好なグリップ感を得ることができ
る。
【００１０】
また、請求項２に示すように、甲部片における人指し指の手のひら側下端部を
湾曲状をなすように大きく切り欠くと共に、当該湾曲状切欠部の湾曲ラインに対
応するようにして掌部片に湾曲状突片を形成し、甲部片の前記湾曲状切欠部の周
縁において掌部片の湾曲状突片を非伸縮性縫糸を用いて縫着するようにした場合
には、素材の経時的所謂ヘタリを有効に防ぐことができ一層耐久性に富んだゴル
フ用手袋となすことができる。
【発明を実施するための最良の形態】
【００１１】
以下、本発明ゴルフ用手袋の実施形態の一例を詳細に説明する。
図１は手袋本体をなす各パーツのうち、掌部片、中指及び薬指の手のひら側を
覆う掌部側指片及び甲部片の一例を示す展開図、図２は手袋本体をなす各パーツ
のうち、親指片及びマチ片の一例を示す展開図、図３は図１及び図２に示す各パ
ーツを所定の縫着ラインに沿って縫着した本発明に係るゴルフ用手袋の一例を示
す斜視図である。
【００１２】
図中１はゴルファーの手のひら部６及び小指部７の手のひら側を覆うことがで
きる大きさに裁断した掌部片であり、２は中指及び薬指の手のひら側を覆う形状
に裁断した掌部側指片である。３は掌部側及び甲部側を含む親指の全体を覆う親
指片、４は人指し指の掌部側及び甲部側を含むと共に、中指部９、薬指部８及び
小指部７を含む手の甲部側全体を覆うことができるように裁断した甲部片、５は
前記各指部の間に介在させるマチ片である。これら各パーツはいずれもゴルファ
ーの手に馴染み易い薄手の合成皮革や、人工皮革、羊皮のような天然皮革を用い
て製作されている。
【００１３】
前記したように、掌部片１は手のひら部６と小指部７の掌部側を含むだけで、
他の指片は具備していない。これはグリップの際に重要とされる小指の部分に必
要以上に縫合部分を形成しないようにするためである。掌部片１と一体となった
小指部７とは別に、薬指部８及び中指部９からなる掌部側指片２を他のパーツか
ら分離独立させたのは、使用の継続によって素材、特に掌部側素材が横方向に引
き伸ばされ、所謂ヘタリが生ずるのを防ぐためである。すなわち、薄手素材の場
合には使用の継続につれて次第に掌部の幅方向に沿って素材が引き伸ばされ、型
崩れを起こして遂には使用に耐えなくなるが、掌部片１から薬指部８及び中指部
９を主体とした掌部側指片２を素材段階で切り離し、両者を縫合することによっ
て当該縫着ラインが素材の伸びを抑止することとなるのである。
【００１４】
甲部片４は人指し指部１０の掌部側及び甲部側を含むと共に、中指部９、薬指
部８及び小指部７の甲側全体を覆うことができる形状に裁断してあり、親指片３
及びマチ片５を含めた各パーツをそれぞれ定められた縫着ラインに沿って縫着す
ることにより本発明のゴルフ用手袋が得られる。
【００１５】
なお、甲部片４における人指し指部１０の手のひら側下端部を湾曲状をなすよ
うに大きく切り欠き、当該湾曲状切欠部１１の湾曲ラインに対応するようにして
掌部片１に湾曲状突片１２を形成し、甲部片４の当該湾曲状切欠部１１の周縁に
おいて掌部片１の湾曲状突片１２を非伸縮性縫糸１３を用いて縫着するようにし
た場合には、掌部片１が湾曲状突片１２の曲線部を含めた上下部分において甲部
片４のみならず掌部側指片２及び親指片３と非伸縮性縫糸１３をもって結合され
た状態となり、一層ヘタリ難い耐久性に富んだゴルフ用手袋となるものである。
【００１６】
本発明ゴルフ用手袋は以上のように、小指部７の手のひら側を掌部片１と一体
化させることによって、縫い糸が小指の付け根部分にあらわれないようにしてグ
リップの際に重要となる小指による微妙な握持感を向上させることができると共
に、薬指部８及び中指部９からなる掌部側指片２を他のパーツから分離独立させ
、当該掌部側指片２を掌部片１の上端対応箇所に非伸縮性縫糸１３をもって縫い
付けることにより素材自体の伸びを抑止することができ、継続使用によってもヘ
タリ難いゴルフ用手袋となるものである。
【図面の簡単な説明】
【００１７】
【図１】手袋本体をなす各パーツのうち、掌部片、中指及び薬指の手のひら側を覆う掌部側指片及び甲部片の一例を示す展開図である。
【図２】手袋本体をなす各パーツのうち、親指片及びマチ片の一例を示す展開図である。
【図３】図１及び図２に示す各パーツを所定の縫着ラインに沿って縫着した本発明に係るゴルフ用手袋の一例を示す斜視図である。
【符号の説明】
【００１８】
１：掌部片
２：掌部側指片
３：親指片
４：甲部片
５：マチ片
６：手のひら部
７：小指部
８：薬指部
９：中指部
１０：人指し指部
１１：湾曲状切欠部
１２：湾曲状突片
１３：非伸縮性縫糸
【図１】
2005144065.tif 000003
【図２】
2005144065.tif 000004
【図３】
2005144065.tif 000005